(57)【要約】【課題】音楽データの著作権を有効に保護しつつ、ネットワーク経由で取得した音楽データを車両内で再生する。【解決手段】著作権を保護するための認証手続につき規定したアプリケーションプロトコルに従って音楽データをパケット化し、これを無線通信網５０へ送出し、無線通信網５０を介して車両１０側で受信した音楽データを、上述したアプリケーションプロトコルに従ってＨＤＤ２３へ記録するように制御し、さらにはＨＤＤ２３に記録された音楽データをサウンドコントロール部２４へ転送して再生する。【選択図】  図１
2004212415.tif 000002
【特許請求の範囲】
【請求項１】
車両に搭載され、音楽データを再生する車載用音楽再生装置において、
無線通信網を介して音楽データを受信する無線通信手段と、
上記受信した音楽データを記録するための記録媒体と、
音楽データの著作権保護のための認証手続につき規定したプロトコルに従って上記受信した音楽データを上記記録媒体へ記録するように制御し、或いは再生する音楽データを上記記録媒体から転送するように制御する記録再生制御手段と、
転送された音楽データを再生するための再生手段とを備えることを特徴とする車載用音楽再生装置。
【請求項２】
上記記録再生制御手段は、上記無線通信網を介してサーバ及び／又は電子機器にアクセスし、上記記録媒体に記録されていない未取得の音楽データが上記サーバ及び／又は上記電子機器に存在する場合には、その未取得の音楽データの送信を要求することを特徴とする請求項１記載の車載用音楽再生装置。
【請求項３】
上記記録再生制御手段は、上記サーバ及び／又は上記電子機器にアクセスする前に、予め上記記録媒体に記録されている音楽データから、上記未取得の音楽データを識別することを特徴とする請求項２記載の車載用音楽再生装置。
【請求項４】
著作権を保護するための認証手続につき規定したアプリケーションプロトコルに従って音楽データをパケット化し、これを無線通信網へ送出する電子機器と、
車両に搭載され、
上記無線通信網を介して上記音楽データを受信する無線通信手段と、上記受信した音楽データを記録するための記録媒体と、上記アプリケーションプロトコルに従って上記受信した音楽データを上記記録媒体へ記録するように制御し、或いは再生する音楽データを上記記録媒体から転送するように制御する記録再生制御手段と、転送された音楽データを再生するための再生手段とを備える車載用音楽再生装置と、を有することを特徴とする無線通信システム。
【請求項５】
上記アプリケーションプロトコルに従って音楽データをパケット化し、これを無線通信網へ送出するサーバをさらに有すること
を特徴とする請求項４記載の無線通信システム。
【請求項６】
上記車載用音楽再生装置は、上記無線通信網を介して上記電子機器にアクセスし、上記記録媒体に記録されていない未取得の音楽データが上記電子機器に存在する場合には、その未取得の音楽データの送信を要求することを特徴とする請求項４記載の無線通信システム。
【請求項７】
上記車載用音楽再生装置は、上記サーバ及び／又は上記電子機器にアクセスする前に、予め上記記録媒体に記録されている音楽データから、上記未取得の音楽データを識別することを特徴とする請求項６記載の無線通信システム。
【発明の詳細な説明】
【０００１】
【発明の属する技術分野】
本発明は、車両に搭載され、無線通信網を介して受信した音楽データを再生する車載用音楽再生装置、並びにその無線通信システムに関し、特に受信した音楽データの著作権を保護することに好適な車載用音楽再生装置、並びにその無線通信システムに関する。
【０００２】
【従来の技術】
従来より、ＣＤ（Compact Disc）、ＤＶＤ（Digital Video Disc）等のメディアを再生可能なオーディオ機器が普及している。このためユーザは、各自入手した音楽ソフトをかかるオーディオ機器を用いて自由に鑑賞することができる。また、ＰＣ（Personal Computer）等に搭載されたハードディスクに、メディアから比較的大きなサイズの音楽データを大量に記録することが可能となり、高速なランダムアクセスや複数のデータに対する記録再生の同時処理機能を活かしつつ、柔軟な記録再生動作を実現することができる。
【０００３】
また、ＣＤ、ＤＶＤ、テープ等のメディアを車両側に持ち込み、ドライブ中において当該メディアから所望の音楽データを自由に再生することができる車載用のオーディオ機器（以下、車載装置という。）が広く普及している。特に近年では、車載装置に対して、ＭＤ（Mini Disc）プレーヤ等から音声信号を入力することにより、当該車載装置のスピーカから車内へ音声出力することができるシステムも提案されている（例えば、特許文献１参照。）。
【０００４】
ところで、このような車載装置では、車内で再生するＣＤ等のメディアを、ドライブ前に予め家から車両側へ持ち運ぶ必要があり、また一度車両側に収納したメディアを再び家へ持ち運ぶ必要があるため、労力の負担が増大してしまうという問題点があった。特に、家にあるＰＣ（Personal Computer）のハードディスク内に記録されている音楽データに関しては、例えばＣＤ−Ｒ等のメディアに一度書き込んでから、それを車両側へ持ち運ばなければならず、ユーザの負担をさらに増大させていた。
【０００５】
このため、車載装置と外部との間で、情報を送受信することができる車載用通信制御システム７が提案されている（例えば、特許文献２参照。）。この車載用通信制御システム７では、予め登録しておいたプログラムにより、自動的に電話接続を行う機能を設けることにより、電子メールの通信ネットとの交信を行えるようにして、車内より電子メールの受信状況の確認を行い、必要な場合には自動的に電子メールのメッセージに対して返信することができる。
【０００６】
また、車載装置と外部との間で、音楽データを送受信することができる無線通信システム８も提案されている（例えば特許文献３参照。）。
【０００７】
この無線通信システム８では、図５に示すように、自動車８２内に車載装置８１並びに無線伝送装置８３が搭載され、建物９０内に無線伝送装置８３と接続された中継装置８４が設けられてなる。またこの建物９０内には、Ａ／Ｖ(Audio/Video)機器９１、モニタ９２等の電子機器が設置され、それぞれに無線伝送装置８３が接続される。
【０００８】
ちなみに、中継装置８４は、車載装置８１と建物９０内に設置された電子機器との通信の中継を行う装置である。なお、これらの構成に加えて人工衛星１００からの電波を受信するような受信装置８５を設けることもできる。
【０００９】
すなわち、上述の構成からなる無線通信システム８では、建物９０の内部の電子機器間や、建物９０内部の各対象機器と自動車８２内部に設置された車載装置８１との間で通信が行われることによって、メディア情報及び制御情報のやりとりがなされる。
【００１０】
例えば、ユーザによって車載装置８１に対して所定の操作がなされると、当該操作に基づく制御情報が建物９０内部に設置された中継装置８４を中継してＡ／Ｖ機器９１に対して送信される。この制御情報を受信したＡ／Ｖ機器９１では、所定の方法によりＣＤが選択されて再生される。そして再生された音楽データがメディア情報として送信され、中継装置８４を中継して車載装置８１により受信される。車載装置８１では、受信したメディア情報がＭＤに対して記録されることになるため、ユーザは、自動車８２内において、建物９０内で選択されたＣＤの内容を車内のＭＤにダビングしてこれを鑑賞することができる。
【００１１】
すなわち、この無線通信システム８では、ＣＤ等のメディアを、その都度車内に持ち運ぶ必要がなくなり、ユーザの労力の負担を軽減させることが可能となる。
【００１２】
【特許文献１】
特開２００１−１２８２８０号公報
【特許文献２】
特開平１０−２８９１７７号公報
【特許文献３】
特開平１１−９８５６６号公報
【００１３】
【発明が解決しようとする課題】
ところで、インターネットやケーブルテレビ等のネットワークを用いた音楽データのオンライン配信が実用化され始めている昨今において、ユーザのさらなる労力軽減の観点より、家の電子機器内に記録されている音楽データをそのネットワークを介して車載装置側で取得し、さらにはインターネット上のサーバ内にある音楽データを車載装置側で直接的に取得することができる無線通信システムが望まれている。
【００１４】
しかしながら、その車載装置側において、サーバ内のあらゆる音楽データを無作為に取得することが可能となれば、当該音楽データの著作権を有効に保護することができず、また購入したメディアから家の電子機器内に記録した音楽データについても、著作権を保護する観点から、無限に複製することが許されているわけではない。
【００１５】
そこで本発明は、上述した問題点に鑑みて案出されたものであり、音楽データの著作権を有効に保護しつつ、ネットワーク経由で取得した音楽データを車両内で再生することができる車載用音楽再生装置並びにその無線通信システムを提供することを目的とする。
【００１６】
【課題を解決するための手段】
本発明者は、上述した問題点を解決するために、無線通信網を介して車両側で音楽データを受信し、音楽データの著作権保護のための認証手続につき規定したプロトコルに従って受信した音楽データを記録媒体へ記録し、さらには記録された音楽データを再生手段へ転送して再生する車載用音楽再生装置並びに無線通信システムを発明した。
【００１７】
すなわち、本発明を適用した車載用音楽再生装置は、音楽データを再生する車載用音楽再生装置において、無線通信網を介して音楽データを受信する無線通信手段と、受信した音楽データを記録するための記録媒体と、音楽データの著作権保護のための認証手続につき規定したプロトコルに従って受信した音楽データを上記記録媒体へ記録するように制御し、或いは再生する音楽データを記録媒体から転送するように制御する記録再生制御手段と、転送された音楽データを再生するための再生手段とを備える。
【００１８】
また、本発明を適用した無線通信システムは、著作権を保護するための認証手続につき規定したアプリケーションプロトコルに従って音楽データをパケット化し、これを無線通信網へ送出する電子機器と、車両に搭載され、無線通信網を介して音楽データを受信する無線通信手段と、受信した音楽データを記録するための記録媒体と、アプリケーションプロトコルに従って上記受信した音楽データを記録媒体へ記録するように制御し、或いは再生する音楽データを上記記録媒体から転送するように制御する記録再生制御手段と、転送された音楽データを再生するための再生手段とを備える車載用音楽再生装置とを有する。
【００１９】
【発明の実施の形態】
以下、本発明の実施の形態について図面を参照しながら詳細に説明する。
【００２０】
本発明は、例えば図１に示すような無線通信システム１に適用される。この図１に示す無線通信システム１は、車両１０に搭載された車載用音楽再生装置２と、インターネット網等の公衆通信網８に接続されるサーバ４と、当該公衆通信網８に対して、それぞれインターネットサービスプロバイダ（以下、ＩＳＰという。）７を介して接続される家庭内ＬＡＮ(Local Area Network)５並びに無線通信ホットスポット（以下無線通信ＨＳという。）９とを備えている。
【００２１】
家庭内ＬＡＮ５は、個人の家屋である建物１１の内部に配設され、少なくとも建物１１内に設置された電子機器３や中継装置６との高速通信を可能とするネットワークである。
【００２２】
車載用音楽再生装置２は、公衆通信網８から無線通信ＨＳ９を介して受信した音楽データ、或いは中継装置６から受信した音楽データを車両１０内において再生するための装置である。この車載用音楽再生装置２は、例えばＣＤチェンジャ、ＭＤ再生装置、カーナビゲーション装置等の機能をさらに備えるものであってもよい。なお、この車載用音楽再生装置２の詳細については後述する。
【００２３】
電子機器３は、例えば、図示しないネットワークと接続するためのモデムを備えたＰＣ（Personal Computer）やＰＤＡ（Personal Digital Assistant）等であり、公衆通信網８から家庭内ＬＡＮ５を経て音楽データを受信し、これを自身のハードディスク内に格納する。電子機器３は、自身のハードディスク内に格納した音楽データを再生させ、更には当該音楽データを家庭内ＬＡＮ５を通じて中継装置６へ出力する。また、この電子機器３は、自身のハードディスク内に格納した音楽データを、家庭内ＬＡＮ５を通じて公衆通信網８へ送信する。
【００２４】
中継装置６は、車載用音楽再生装置２と建物１１内に設置された電子機器３との通信を中継するための装置である。この中継装置６は、電子機器３から家庭内ＬＡＮ５を通じて音楽データが入力され、これを無線信号にして車載用音楽再生装置２へ送信する。また中継装置６は、車載用音楽再生装置２から所定の制御情報からなる無線信号を受信し、これを上述した家庭内ＬＡＮ５を通じて電子機器３へ出力する。ちなみに、この制御情報は、例えば電子機器３からの音楽データの送信を要求する旨も含まれている。なお、この無線通信システム１において、中継装置６の機能を例えば電子機器３等に付加して、中継装置６を省略してもよい。
【００２５】
公衆通信網８は、例えば、電子機器３と電話回線を介して接続されるインターネット網に加えて、携帯電話と接続される移動体通信網（Mobile Network）、ＴＡ／モデムと接続されるＩＳＤＮ（Integrated Services Digital Network）／Ｂ（broadband）−ＩＳＤＮ，ＳＴＢと接続される衛星通信網（Broadcasting）等である。
【００２６】
この公衆通信網８に接続されるサーバ４は、例えばインターネット情報を管理し、車載用音楽再生装置２や電子機器３による要求を受けて、自身に格納してある所定の情報を、当該当該車載用音楽再生装置２や電子機器３へ送信する。またこのサーバ４は、音楽提供サービスをも管理し、車載用音楽再生装置２や電子機器３による要求を受けて、自身に格納してある所定の音楽データを、その車載用音楽再生装置２や電子機器３へ送信する。
【００２７】
なお、公衆通信網８に対して上述した無線通信ＨＳ９を接続し、さらには、家庭内ＬＡＮ５を介して中継装置６を接続することにより、車両１０に搭載された車載用音楽再生装置２と、電子機器３及び／又はサーバ４との間で無線通信を行うことができる無線通信網５０が形成されることになる。
【００２８】
無線通信ＨＳ９は、公衆通信網８から供給される音楽データを無線信号に変換してこれを車載用音楽再生装置２へ送信するためのいわゆる基地局としての役割を果たす。この無線通信ＨＳ９をいたる箇所に設置することにより、車両１０に搭載された車載用音楽再生装置２は、例えば中継装置６からの無線信号が到達不可能な場所まで移動した場合においても、この無線通信ＨＳ９を介して無線信号を受信することが可能となる。また車載用音楽再生装置２は、中継装置６からの無線信号が到達不可能な場所まで移動した場合においても、この無線通信ＨＳ９を介して、所定の制御情報からなる無線信号を送信することが可能となる。なお、この無線通信ＨＳ９は、公衆通信網８に接続され、無線信号を送受信する基地局としての役割を担えれば、いかなる物であってもよい。
【００２９】
このような無線通信システム１では、車載用音楽再生装置２に対して、サーバ４に格納されている音楽データを公衆通信網８を介して送信することができる。また、このような無線通信システム１では、車載用音楽再生装置２に対して、建物１１内に設置された電子機器３が格納する音楽データを、中継装置６のみならず、家庭内ＬＡＮ５、ＩＳＰ７、公衆通信網８を介して送信することも可能となる。
【００３０】
次に、本発明を適用した車載用音楽再生装置の構成について図２を用いて説明をする。
【００３１】
音楽記録再生装置２は、無線ＬＡＮカード等で構成される送受信部２１と、この送受信部２１から送信される音楽データを内部データバス３１へ出力する通信部２２と、内部データバス３１にそれぞれ接続されるハードディスク（以下、ＨＤＤという。）２３及びサウンドコントロール部２４と、当該内部データバス３１を介して各部の処理動作を制御するバスコントローラ２５と、バスコントローラ２５及び内部データバス３１を介して制御信号を送信するＣＰＵ（Central Processing Unit）２６と、サウンドコントロール部２４に接続されるスピーカ２７と、ＣＰＵ２６に接続される表示部２８及び操作キー２９とを備えている。
【００３２】
送受信部２１は、無線信号に変換された音楽データを、中継装置６或いは無線通信ＨＳ９を介して受信し、或いは、通信部２２から入力される制御情報を無線信号にして中継装置６或いは無線通信ＨＳ９へ送信する。なお、この送受信部２１において、送信機能はあくまで必須でなく、受信機能のみ備えるものであってもよい。
【００３３】
通信部２２は、通信インターフェース等を備え、送受信部２１における音楽データの送受信を制御する。この通信部２２は、音楽データの送受信を、例えばインターネット上でのデータ転送のためのインターフェースを提供するＴＣＰ／ＩＰ（Transmission Control Protocol/Internet Protocol）等を用いて実現してもよい。
【００３４】
ＨＤＤ２３は、接続された内部データバス３１を介して、音楽データを受け取り、これを指定されたアドレスへ記録する。ちなみに、各音楽データを記録するためのアドレスの指定は、後述するＣＰＵ２６により実行される。ちなみにこのＨＤＤ２３は、音楽データを記録することができる他の装置に代替してもよく、例えば半導体メディア等のある程度の読出速度と書込速度を持つ読み出し可能なデバイスにより構成してもよい。
【００３５】
サウンドコントロール部２４は、内部データバス３１を介して転送される音楽データについて、それぞれ楽音信号を生成して、これを出力する。なお、このサウンドコントロール部２４において複数チャンネルで楽音信号を同時に発生させる場合には、１つの回路を時分割で使用してもよいし、また１つの発音チャンネルを１つの回路で構成してもよい。なお、サウンドコントロール部２４から出力された楽音信号は、スピーカ２７へ供給されて音声出力されることになる。
【００３６】
バスコントローラ２５は、ＣＰＵ２６からの命令に応じて、内部データバス３１における各種データの入出力を制御するためのデバイスである。ちなみに、このバスコントローラ２５は、ＣＰＵ２６に組み込まれて構成されていてもよい。
【００３７】
ＣＰＵ２６は、バスコントローラ２５に対して所定の命令を送ることにより、音楽記録再生装置２全体を制御する中央演算ユニットであり、実行すべき制御プログラムを格納する図示しないＲＯＭ、及びデータの蓄積や展開等に使用する作業領域としての図示しないＤＲＡＭに接続される。また、このＣＰＵ２６は、操作キー２９の操作に応じて各種制御用の指令をバスコントローラ２５を介して伝達したり、或いは演奏経過時間や再生している音楽データのタイトル等の文字情報を表示部２８へ表示させる。
【００３８】
このＣＰＵ２６は、通信部２２が音楽データを受信した場合に、これを内部データバス３１及びバスコントローラ２５を介してこれを識別し、後述する著作権保護のための認証手続につき規定したプロトコルに従って、これをＨＤＤ２３へ記録するように制御する。また、ＣＰＵ２６は、通信部２２を制御することにより、無線通信ＨＳ９や中継装置６を介して電子機器３及び／又はサーバ４へアクセスし、音楽データの送信を要求してもよい。このとき、ＣＰＵ２６は、ＨＤＤ２３に記録されていない未取得の音楽データが当該電子機器３及び／又はサーバ４に存在する場合には、その未取得の音楽データの送信を要求してもよい。これにより、電子機器３やサーバ４内において新たに音楽データを取得した場合であっても、随時ＨＤＤ２３にその音楽データを記録させることができる。またＣＰＵ２６は、電子機器及び／又はサーバ４へアクセスする前に、予めＨＤＤ２３に記録されている音楽データを識別してもよい。これにより、ＨＤＤ２３において未取得の音楽データをより明確にすることができるため、電子機器３及び／又はサーバ４内における未取得の音楽データの存在について、より迅速に確認することができる。
【００３９】
このＣＰＵ２６は、例えば操作キー２９を介して、再生、早送り、巻き戻し、一時停止等の操作が行われた場合において、これらの動作を実現できるような命令をバスコントローラ２５を介して送信する。例えばユーザにより再生する旨の操作が行われた場合において、ＣＰＵ２６は、ＨＤＤ２３にその再生可能な音楽データが存在するときには、当該音楽データをＨＤＤ２３からサウンドコントロール部２４へ転送する旨の命令をバスコントローラ２５を介して送る。その結果、サウンドコントロール部２４に転送された当該音楽データの再生が実現されることになる。さらに、このＣＰＵ２６は、操作キー２９を介して、例えば１曲リピートや全曲リピート、或いはシャッフル等の操作が行われた場合も同様に、これらの動作を実現できるような制御信号を生成し、バスコントローラ２５を介して送信する。
【００４０】
表示部２８は、例えば液晶表示素子からなり、ユーザに対して情報を表示するための液晶ディスプレイを構成する。また操作キー２９は、表示部２８による表示内容を視認したユーザが音楽記録再生装置２に対して所定の操作を実行するためのインターフェースである。
【００４１】
次に、本発明を適用した音楽記録再生装置１が受信する音楽データの詳細について説明をする。
【００４２】
音楽データは、上述した公衆通信網８により展開される配信システムから、音楽記録再生装置１へダウンロードすることができる音声ファイルである。音楽データのダウンロードを望むユーザは、操作キーを介してコンテンツ配信業者が提供するＷｅｂ等にアクセスし、所定のダウンロード操作を実行することにより、これを実現することができる。
【００４３】
音楽データは、例えばＭＰ３(MPEG-1 Audio Layer3)規格に基づいて構成される。ＭＰ３は、音楽用のＣＤ（Compact Disc）とほぼ同等の音質で再生することを可能としつつ、１曲あたり４〜５ＭＢ前後のサイズで構成することができるため、高い圧縮率を得ることができる。
【００４４】
このような音楽データは、図３に示すプロトコルスタックに基づいて、電子機器３及び／又はサーバ４から、車載用音楽再生装置２へ送信される。
【００４５】
プロトコルスタックの最下位層には、物理層及びデータリンク層としての役割を担うネットワークアクセス層１０１が規定されている。このネットワークアクセス層１０１は、０、１のビットの伝送を行うべく、無線通信の物理的、電気的コネクションを確立、維持する機能を提供する。また、このネットワークアクセス層１０１は、この確立したコネクションを用いて、電子機器３及び／又はサーバ４と、車載用音楽再生装置２との間で誤りのないデータ伝送を実現し、例えばＩＥＥＥ８０２．１１（無線ＬＡＮ）やＩＥＥＥ８０２．３（ＣＳＭＡ／ＣＤ：搬送波感知多重アクセス／衝突検出）により標準化されている。
【００４６】
このネットワークアクセス層１０１の上には、インターネット層１０２が規定されている。このインターネット層１０２は、通信を行うためのいわゆる伝送路を確立するために設けられるものであり、例えば通信経路を確立するためのＩＰ（Internet Protocol）、音楽データが発信元へ戻された際の問題点を報告するためのＩＣＭＰ（Internet Control Message Protocol）、ＩＰアドレスをEthernet（登録商標）アドレス等に変換するＡＲＰ（Address Resolution Protocol）からなる。
【００４７】
インターネット層１０２の上には、トランスポート層１０３が規定されている。このトランスポート層１０３は、電子機器３或いはサーバ４と、車載用音楽再生装置２とに存在するアプリケーション間の無線通信を実現すべく規定されるものである。例えば、音楽データを配信するアプリケーションにおいて、連続した大量のデータを扱う場合には、ＴＣＰ（Transmission Control Protocol）が使用され、間欠的に小さなパケットを送る場合には、ＵＤＰ（User Datagram Protocol）が使用される。
【００４８】
トランスポート層１０３の上には、ＳＳＬ（Secure Sockets Layer）プロトコル１０４が規定されている。このＳＳＬプロトコル１０４は、更に上位に規定されているアプリケーション層に対してセキュリティ機能を付加するために設けられるものである。すなわち、このＳＳＬプロトコル１０４を設けることにより、上位のアプリケーション層のプロトコルを変更しなくてもセキュリティ機能を追加することができる利点がある。
【００４９】
ＳＳＬプロトコル１０４の上には、アプリケーション層１０５が規定されている。本発明では、このアプリケーション層１０５において、音楽データ等の情報を送受信するためのＨＴＴＰ（HyperText Transfer Protocol）を用いる。また、ＳＳＬプロトコルに対応させるべく、アプリケーション層１０５において、ＨＴＴＰＳを用いることにより、音楽データのセキュリティを着実に保護することも可能となる。
【００５０】
アプリケーション層１０５の上には、著作権保護のための認証手続について規定した著作権プロトコル１０６が存在する。この著作権プロトコル１０６は、購入した音楽ＣＤ（Compact Disc）等のメディアから電子機器３へ保存した音楽データや、インターネット上で配信される音楽データ等の著作権を保護するために設けられている。
【００５１】
すなわち、たとえ購入したメディアから電子機器３へ保存した音楽データであっても、著作権を保護する観点から無限に複製することが許されているわけではない。このため、著作権プロトコル１０６において、著作権保護のための認証手続として、例えば音楽データの複製回数を規定することにより、音楽データの著作権を有効に保護する一方で、例えば車両１０に搭載された車載用音楽再生装置２を介して様々な場所で当該音楽データを再生することが可能となる。
【００５２】
なお、この著作権プロトコルとして、元のデータの複製を同時に３つまで許可するOpenMGを用いてもよい。このOpenMGを用いることにより、電子機器３やサーバ４内にある音楽データの安易なコピーを防止することが可能となる。
【００５３】
次に、本発明を適用した無線通信システム１の動作について図４を用いて説明をする。
【００５４】
先ず車載側音楽再生装置２側で初回起動されると、ステップＳ１１へ移行する。このステップＳ１１において、ＣＰＵ２６は、ＨＤＤ２３内を検索して、内部に記録されている音楽データを識別する。このとき、ＣＰＵ２６は、かかる音楽データの識別を、ＨＤＤ２３に記録されている音楽データの一覧を取得することにより実行してもよい。
【００５５】
次にステップＳ１２へ移行し、ＣＰＵ２６は、通信部２２を制御して電子機器３及び／又はサーバ４へアクセスして、これらに格納されている音楽データを検索する。
【００５６】
このとき、ＣＰＵ２６は、ＨＤＤ２３に記録されていない未取得の音楽データが当該電子機器３及び／又はサーバ４に存在する場合には、ステップＳ１３へ移行する。一方、ＣＰＵ２６は、ＨＤＤ２３に記録されていない未取得の音楽データが当該電子機器３及び／又はサーバ４に存在しない場合には、再度ステップＳ１２へ移行して、電子機器３及び／又はサーバ４に格納されている音楽データの検索を一定間隔で繰り返す。
【００５７】
なお、ＣＰＵ２６は、このステップＳ１２において、単にＨＤＤ２３に記録されている音楽データの一覧を電子機器３及び／又はサーバ４へ送信するのみでもよい。かかる場合において、音楽データの一覧を受け取った電子機器３及び／又はサーバ４は、自身に格納してある音楽データの中から、車載用音楽再生装置２における未取得の音楽データを探し出し、これを送信することになる。
【００５８】
ステップＳ１３において、ＣＰＵ２６は、未取得の音楽データが存在する電子機器３及び／又はサーバ４に対して、当該音楽データの送信を要求する。電子機器及び／又はサーバ４は、かかる送信の要求を受けた音楽データを車載用音楽再生装置２へ送る。
【００５９】
次にステップＳ１４において、ＣＰＵ２６は、受信した音楽データを内部データバス３１及びバスコントローラ２５を介してこれを識別し、著作権プロトコルに従って、これをＨＤＤ２３へ記録する。このとき、ＣＰＵ２６は、著作権プロトコル１０６で規定されている複製回数を超えているか否かを判別し、当該複製回数以下の場合のみ、音楽データをＨＤＤ２３へ記録するようにしてもよい。これにより、受信した音楽データが、著作権プロトコル１０６で規定されている複製回数を超えている場合には、ＨＤＤ２３に対して記録されないことになるため、音楽データを無限に複製するのを回避することができ、ひいては、音楽データの著作権を有効に保護することが可能となる。
【００６０】
なお、このステップＳ１４において、ユーザにより再生する旨の操作が実行されなかった場合には、再びステップＳ１２へ移行して、電子機器３及び／又はサーバ４に格納されている音楽データの検索を一定間隔で繰り返す。一方、ユーザにより再生する旨の操作が実行された場合には、ステップＳ１５へ移行する。
【００６１】
ステップＳ１５において、ＣＰＵ２６は、再生する音楽データをＨＤＤ２３からサウンドコントロール部２４へ転送させる。転送された音楽データは、スピーカ２７を介して車両１０内で再生される。ステップＳ１５における再生処理が終了すると、再びステップＳ１２へ移行することになる。
【００６２】
このステップＳ１５における再生処理と、ステップＳ１１〜ステップＳ１４における処理は並行して行われるようにしてもよい。すなわち、本発明では、ＨＤＤ１３への音楽データの記録処理と、ＨＤＤ１３に記録されている音楽データの再生処理は非同期で実行することができ、再生対象となる音楽がＨＤＤ１３へダウンロード済みである場合のみならず、ダウンロード中であっても順次これを再生することができる。
【００６３】
すなわち、本発明を適用した車載用音楽再生装置２では、無線通信網５０を介して車両１０側で音楽データを受信し、音楽データの著作権保護のための認証手続につき規定した著作権プロトコル１０６に従って受信した音楽データをＨＤＤ２３へ記録し、さらにはＨＤＤ２３に記録された音楽データをサウンドコントロール部２４へ転送して再生する。これにより、ネットワーク経由で音楽データを取得して車両１０内で再生することができるため、ユーザの負担を軽減させることができ、さらには、取得した音楽データの著作権を有効に保護することができる。
【００６４】
また、本発明を適用した無線通信システム１では、著作権を保護するための認証手続につき規定した著作権プロトコル１０６に従って音楽データをパケット化し、これを無線通信網５０へ送出する電子機器３と、無線通信網５０を介して車両１０側で受信した音楽データを、著作権プロトコル１０６に従ってＨＤＤ２３へ記録し、さらにはＨＤＤ２３に記録された音楽データをサウンドコントロール部２４へ転送して再生する車載用音楽再生装置２、とを有する。これにより本発明を適用した無線通信システム１では、ネットワーク経由で音楽データを配信して車両１０内で再生することができるため、ユーザの負担を軽減させることができ、さらには、取得した音楽データの著作権を有効に保護することができる。
【００６５】
なお、本発明は無線通信により、車載用音楽再生装置２へデータを送信する例について説明したが、かかる構成に限定されるものではなく、他の通信手段を用いてもよいことは勿論である。
【００６６】
【発明の効果】
以上詳細に説明したように、本発明を適用した車載用音楽再生装置では、無線通信網を介して車両側で音楽データを受信し、音楽データの著作権保護のための認証手続につき規定したプロトコルに従って受信した音楽データを記録媒体へ記録し、さらには記録媒体に記録された音楽データを再生手段へ転送して再生する。これにより、ネットワーク経由で音楽データを取得して車両内で再生することができるため、ユーザの負担を軽減させることができ、さらには、取得した音楽データの著作権を有効に保護することができる。
【００６７】
以上詳細に説明したように、本発明を適用した無線通信システムでは、著作権を保護するための認証手続につき規定したアプリケーションプロトコルに従って音楽データをパケット化し、これを無線通信網へ送出する電子機器と、無線通信網を介して車両側で受信した音楽データを、上述したアプリケーションプロトコルに従って記録媒体へ記録し、さらには記録された音楽データを再生手段へ転送して再生する車載用音楽再生装置、とを有する。これにより本発明を適用した無線通信システムでは、ネットワーク経由で音楽データを配信して車両内で再生することができるため、ユーザの負担を軽減させることができ、さらには、取得した音楽データの著作権を有効に保護することができる。
【図面の簡単な説明】
【図１】本発明を適用した無線通信システムの構成を示す図である。
【図２】本発明を適用した車載用音楽再生装置の構成図である。
【図３】無線通信システムにおけるプロトコルスタックを示す図である。
【図４】本発明を適用した無線通信システムの動作を示すフローチャートである。
【図５】車載装置と外部との間で、音楽データを送受信することができる従来の無線通信システムを示す図である。
【符号の説明】
１  無線通信システム、２  車載用音楽再生装置、３  電子機器、４  サーバ、５  家庭内ＬＡＮ、６  中継装置、７  ＩＳＰ、８  公衆通信網、９  無線通信ＨＳ、１０  車両、１１  建物、２１  送受信部、２２  通信部、２３  ＨＤＤ、２４  サウンドコントロール部、２５  バスコントローラ、２６  ＣＰＵ、２７  スピーカ、２８  表示部、２９  操作キー、３１  内部データバス
【図１】
2004212415.tif 000003
【図２】
2004212415.tif 000004
【図３】
2004212415.tif 000005
【図４】
2004212415.tif 000006
【図５】
2004212415.tif 000007